(57)【特許請求の範囲】
【請求項１】
正逆回転することによりシャッターカーテンを繰り出し、巻き取る複数個の巻取部が軸方向に並設されているとともに、互いに隣接する２個の巻取部が、これらの巻取部の一部同士が重ね部分となって位置ずれして配置され、これらの巻取部から繰り出される前記シャッターカーテンの対向端部同士が重ね合わせられている連装式建物用シャッターにおいて、前記位置ずれの方向が上下方向になっていることを特徴とする連装式建物用シャッター
【請求項２】
請求項１に記載の連装式建物用シャッターにおいて、前記互いに隣接する２個の巻取部のうちの少なくとも一方が前記シャッターカーテンの厚さ方向に位置調整自在となっていることを特徴とする連装式建物用シャッター。
【請求項３】
請求項１又は２に記載の連装式建物用シャッターにおいて、前記互いに隣接する２個の巻取部の前記重ね部分側のそれぞれの端部を支持する支持部材の両方が、前記巻取部のシャッターカーテン繰り出し側とは反対側に存在する建物躯体に取り付けられていることを特徴とする連装式建物用シャッター。
【請求項４】
請求項１又は２に記載の連装式建物用シャッターにおいて、前記互いに隣接する２個の巻取部の前記重ね部分側のそれぞれの端部を支持する支持部材のうち、上側の巻取部の端部を支持する支持部材はこの巻取部のシャッターカーテン繰り出し側と同じ側に存在する建物躯体に取り付けられ、下側の巻取部の端部を支持する支持部材は、前記上側の巻取部の支持部材に前記シャッターカーテン繰り出し側とは反対側において結合されていることを特徴とする連装式建物用シャッター。
【請求項５】
請求項１又は２に記載の連装式建物用シャッターにおいて、前記互いに隣接する２個の巻取部の前記重ね部分側のそれぞれの端部を支持する支持部材のうち、上側の巻取部の端部を支持する支持部材はこの巻取部のシャッターカーテン繰り出し側と同じ側に存在する建物躯体に取り付けられ、下側の巻取部の端部を支持する支持部材は前記上側の巻取部の上方に存在する建物躯体に取り付けられていることを特徴とする連装式建物用シャッター。
【請求項６】
請求項１〜５のいずれかに記載の連装式建物用シャッターにおいて、前記互いに隣接する２個の巻取部から繰り出され、巻き取られるそれぞれのシャッターカーテンは少なくとも一部がシートで形成されていることを特徴とする連装式建物用シャッター。
【発明の詳細な説明】
【０００１】
【発明の属する技術分野】
本発明は、複数の巻取部を軸方向に並設した連装式の建物用シャッターに係り、例えば、防火、防煙のための防災用シャッターに利用できるものである。
【０００２】
【背景技術】
建物用シャッターである防火、防煙のための防災用シャッターは、建物の防火区画のために建物内に設置され、天井裏空間に配置された巻取部から繰り出され、巻き取られるシャッターカーテンにより防災区画が形成される。この防火区画は、建物内に大きな室内空間を確保できるようにするため、大スパンとすることが求められ、このため、防災用シャッターにより開閉されるスパンも大きくしなければならない。
【０００３】
このような大スパン化を実現できる防災用シャッターの一例は、正逆回転することによりシャッターカーテンを繰り出し、巻き取る複数個の巻取部を軸方向に並設するとともに、互いに隣接する２個の巻取部を、これらの巻取部の一部同士が重ね部分となるように位置ずれ配置して連装式とすることである。
【０００４】
このような連装式防災用シャッターとして考えられる具体的な構造は、互いに隣接する２個の巻取部の位置ずれ方向を水平方向とし、これらの巻取部の間に２個のガイドローラを配置し、それぞれの巻取部から繰り出されてシャッターカーテンを形成する耐火性シートをこれらのガイドローラで下向きに案内し、それぞれの耐火性シートを、上記２個の巻取部の重ね部分から繰り出された対向端部同士を重ね合わせながら巻取部から繰り出す構成とすることである。
【０００５】
【発明が解決しようとする課題】
しかし、このような構造となる連装式防災用シャッターでは、互いに隣接する巻取部から繰り出される耐火性シートの対向端部同士を重ね合わせるために、これらの巻取部の間にガイドローラを配置することになるため、建物の天井裏空間には、それぞれ複数個の巻取部とガイドローラを配置しなければならない。これによると、防災用シャッターの組み立てのために多くの部材が必要になり、また、防災用シャッター全体の構造が複雑になるという問題が生ずることになる。
【０００６】
本発明の目的は、互いに隣接する巻取部から繰り出されるシャッターカーテンの対向端部同士を、この繰り出しがなされるとそのまま重ね合わせることができ、構造の簡単化を図ることができるようになる連装式建物用シャッターを提供するところにある。
【０００７】
【課題を解決するための手段】
本発明に係る連装式建物用シャッターは、正逆回転することによりシャッターカーテンを繰り出し、巻き取る複数個の巻取部が軸方向に並設されているとともに、互いに隣接する２個の巻取部が、これらの巻取部の一部同士が重ね部分となって位置ずれして配置され、これらの巻取部から繰り出されるシャッターカーテンの対向端部同士が重ね合わせられている連装式建物用シャッターにおいて、前記位置ずれの方向が上下方向になっていることを特徴とするものである。
【０００８】
この連装式建物用シャッターによると、一部同士が重ね部分となって位置ずれ配置される２個の巻取部の位置ずれ方向は上下方向であるため、これらの巻取部を鉛直方向に配置し、一方の巻取部からシャッターカーテンを繰り出す位置を他方の巻取部からシャッターカーテンを繰り出す位置よりもシャッターカーテンの厚さ分だけ又はこれより小さい分だけシャッターカーテンの厚さ方向にずらしておくことにより、それぞれのシャッターカーテンを、これらの対向端部同士を重ね合わせながら巻取部から繰り出すことができるようになる。
【０００９】
そして、この繰り出しは、互いに隣接する２個の巻取部の間に、それぞれのシャッターカーテンを下向きに案内する２個のガイドローラを設けなくても実現でき、このため、全体の構造を簡単化できる。
【００１０】
以上において、前記互いに隣接する２個の巻取部を位置変更不能に配置してもよいが、これらの巻取部のうちの少なくとも一方をシャッターカーテンの厚さ方向に位置調整自在とすることがより好ましい。
【００１１】
このようにすると、これらの巻取部から繰り出しされるシャッターカーテンの対向端部同士を確実に重ね合わせる作業を行えることになり、シャッターカーテン同士を隙間のない連装状態で繰り出すことが可能になる。
【００１２】
少なくとも一方の巻取部をシャッターカーテンの厚さ方向に位置調整自在とするためには任意な構成を採用でき、例えば、ボルトとロックナットを使用したものでもよく、送りねじを使用したものでもよい。
【００１３】
また、それぞれの巻取部の端部を支持するためには、シャッターカーテンの繰り出しを所定どおり行える構成である限り、巻取部と建物躯体との関係に応じて任意な構造を採用できる。
【００１４】
その一例は、建物躯体が巻取部のシャッターカーテン繰り出し側とは反対側に存在する場合には、互いに隣接する２個の巻取部の前記重ね部分側のそれぞれの端部を支持する支持部材の両方を、このように巻取部のシャッターカーテン繰り出し側とは反対側に存在している建物躯体に取り付けることである。
【００１５】
また、建物躯体が巻取部のシャッターカーテン繰り出し側と同じ側に存在する場合には、互いに隣接する２個の巻取部の前記重ね部分側のそれぞれの端部を支持する支持部材のうち、上側の巻取部の端部を支持する支持部材をこの巻取部のシャッターカーテン繰り出し側と同じ側に存在する建物躯体に取り付け、下側の巻取部の端部を支持する支持部材を上側の巻取部の支持部材にシャッターカーテン繰り出し側とは反対側において結合してもよい。
【００１６】
このようにすると、下側の巻取部の端部を支持する支持部材は、上側の巻取部から繰り出されるシャッターカーテンの邪魔にならず、このシャッターカーテンの繰り出し、巻き取りを支障なく行える。
【００１７】
また、建物躯体が巻取部のシャッターカーテン繰り出し側と同じ側及び上側の巻取部の上方に存在する場合には、互いに隣接する２個の巻取部の重ね部分側のそれぞれの端部を支持する支持部材のうち、上側の巻取部の端部を支持する支持部材をこの巻取部のシャッターカーテン繰り出し側と同じ側に存在する建物躯体に取り付け、下側の巻取部の端部を支持する支持部材を上側の巻取部の上方に存在する建物躯体に取り付けてもよい。
【００１８】
これによっても、下側の巻取部の端部を支持する支持部材は、上側の巻取部から繰り出されるシャッターカーテンの邪魔にならず、シャッターカーテンの繰り出し、巻き取りを支障なく行えることになる。
【００１９】
以上の本発明は、建物の防災区画に防火、防煙のために配置される防災用シャッターや、建物の出入口、窓等の開口部にこの開口部を開閉するために配置される一般的な建物用シャッターに適用できる。後者の建物用シャッターのシャッターカーテンは、スラットで形成されたものでもよく、パネルで形成されたものでもよく、シートで形成されたものでもよく、互いにリンクを介して連結されているパイプで形成されたものでもよく、これらを組み合わせて形成されたものでもよい。
【００２０】
また、本発明を防災用シャッターに適用した場合には、そのシャッターカーテンは、耐火性シートで形成されたものでもよく、スラット等のように布以外の金属材料等で形成されたものでもよく、また、これらを組み合わせて形成されたものでもよい。また、少なくとも一部に耐火性シートが使用されているシャッターカーテンについては、その耐火性シートの部分に中桟等の補強部材を設けてもよく、さらに、例えば、めくり自在なシートをその耐火性シートの部分に設けることにより、火災発生時等の非常時にシャッターカーテンを通過できる脱出口を設けてもよい。
【００２１】
また、巻取部から繰り出されるシャッターカーテンの最大繰り出し長さは、天井から床まで達する長さでもよく、また、防煙垂れ幕のように、天井に沿って移動する煙の進行を止めるのに必要なだけの短い長さでもよい。
【００２２】
さらに、本発明に係る建物用シャッターは、シャッターカーテンを開閉方向の複数箇所で停止させることができる多段停止式の建物用シャッターでもよい。また、本発明に係る建物用シャッターは、巻取部からのシャッターカーテンの繰り出しがシャッターカーテンの自重で行われるタイプのものでもよく、モータや手動ハンドル等の駆動手段で巻取部を回転させることによりシャッターカーテンが繰り出されるタイプのものでもよく、シャッターカーテンの一部を握ることによりあるいはフック棒等の用具を用いることによりシャッターカーテンを引き出して直接的に巻取部から繰り出させるタイプのものでもよい。
【００２３】
また、巻取部から繰り出され、巻き取られるシャッターカーテンの移動方向は上下方向でもよく、水平方向でもよく、鉛直方向に対して角度をなす斜めの方向でもよい。
【００２４】
【発明の実施の形態】
以下に本発明の実施形態を図面に基づき説明する。図１は、本実施形態に係る連装式建物シャッターの全体を示す建物の縦断面図である。この建物用シャッターは、建物の防火区画のために設置された防災用シャッター１である。天井２の上の天井裏空間３には、巻取シャフトによって形成されている３個の巻取部４〜６が軸方向に並設され、互いに隣接する２個の巻取部同士の間では、これらの巻取部の一部同士が重ね部分となっているとともに、両側の巻取部４と６は上側に、中央の巻取部５に下側にそれぞれ配置されており、このため、これらの巻取部４〜６は上下方向に位置ずれ配置されている。
【００２５】
図２は図１のII−II線断面図であり、図３は巻取部４と５の重ね部分を背後から示した斜視図、図４は巻取部５と６の重ね部分を背後から示した斜視図である。図３で示されている互いに隣接する巻取部４と５の重ね部分側のそれぞれの端部は、ブラケット７，８で回転自在に支持され、また、図４で示されている互いに隣接する巻取部５と６の重ね部分側のそれぞれの端部は、ブラケット９，１０で回転自在に支持されている。そして、図１で示されている巻取部４と６のそれぞれ残りの端部は、ブラケット１１，１２で回転自在に支持されている。巻取部４〜６の端部を支持する支持部材になっているこれらのブラケット７〜１２は、図２で示す天井裏空間３内の建物躯体である下がり壁１３に取り付けられている。
【００２６】
図３に示すように、ブラケット８には開閉機１４が取り付けられ、この開閉機１４はモータとブレーキの組み合わせからなる。このモータの駆動軸には２個のスプロケット１５，１６が取り付けられ、一方のスプロケット１５は、巻取部５のブラケット８側の端部に結合されたスプロケット１７にチェーン１８を介して連結され、他方のスプロケット１６は、ブラケット７と８の間に架設された伝動軸１９のブラケット８側の端部に結合されたスプロケット２０にチェーン２１を介して連結されている。この伝動軸１９のブラケット７側の端部にはスプロケット２２が取り付けられ、このスプロケット２２は巻取部４のブラケット７側の端部に結合されたスプロケット２３にチェーン２４を介して連結されている。
【００２７】
また、図４に示すように、巻取部５のブラケット９側の端部にはスプロケット２５が取り付けられ、このスプロケット２５はブラケット９と１０の間に架設された伝動軸２６のブラケット９側の端部に結合されたスプロケット２７にチェーン２８を介して連結されている。伝動軸２６のブラケット１０側の端部にはスプロケット２９が取り付けられ、このスプロケット２９は巻取部６のブラケット１０側の端部に結合されたスプロケット３０にチェーン３１を介して連結されている。
【００２８】
このため、開閉機１４のモータの駆動力は、図３のスプロケット１５、チェーン１８、スプロケット１７により巻取部５に伝達されるとともに、スプロケット１６、チェーン２１、スプロケット２０、伝動軸１９、スプロケット２２、チェーン２４、スプロケット２３により巻取部４にも伝達され、また、図４の巻取部５、スプロケット２５、チェーン２８、スプロケット２７、伝動軸２６、スプロケット２９、チェーン３１、スプロケット３０により巻取部６にも伝達され、これらの巻取部４〜６は常に同じ方向に同時に回転する。
【００２９】
また、小径のスプロケット１５，１６，２０，２２，２７，２９を同径とし、大径のスプロケット１７，２３，２５，３０も同径とすることにより、全部の巻取部４〜６を常に同じ速度で回転させることができる。
【００３０】
図１に示すとおり、巻取部４〜６にはシャッターカーテンを形成する耐火性シート３２〜３４が巻かれており、また、図２で示す天井２に設けられたまぐさ３５を通るそれぞれの耐火性シート３２〜３４の下端には、図１で示した座板３６〜３８が取り付けられており、通常時の耐火性シート３２〜３４は、これらの座板３６〜３８がまぐさ３５の高さ位置に達するまで巻取部４〜６に巻かれた状態になっている。
【００３１】
火災発生により炎や煙が図示しないセンサで検出され、このセンサからの信号が開閉機１４の制御装置に入力すると、制御装置からの信号で開閉機１４のブレーキが解除され、これにより耐火性シート３２〜３４は座板３６〜３８を含む自重により巻取部４〜６を正回転させながら繰り出し下降する。また、開閉機１４のモータを図示しないスイッチ操作で駆動させると、巻取部４〜６の逆回転により耐火性シート３２〜３４は巻取部４〜６に巻き取られて上昇する。このような耐火性シート３２〜３４の繰り出し、巻き取りは、両側の耐火性シート３２，３４の外側端部が図１の左右の壁３９に設けられたガイドレール４０に案内されながら行われる。
【００３２】
以上の本実施形態において、巻取部４と５については、図３に示すブラケット７と８側の一部同士が重なった重ね部分４１となっており、巻取部５と６については、図４に示すブラケット９と１０側の一部同士が重なった重ね部分４２となっている。これらの重ね部分４１，４２は、軸方向に並設された巻取部４〜６を上下方向に位置ずれさせて配置することにより形成され、巻取部４，６と巻取部５との耐火性シート３２〜３４の厚さ方向の位置関係を正確に設定することにより、重ね部分４１により、巻取部４と５から繰り出される耐火性シート３２と３３の対向端部３２Ａ，３３Ｂは重ね合わせられ、重ね部分４２により、巻取部５と６から繰り出される耐火性シート３３と３４の対向端部３３Ａ，３４Ｂは重ね合わせられている。
【００３３】
このため、巻取部４〜６の繰り出し、巻き取りは、対向端部３２Ａ，３３Ｂの重ね合わせ及び対向端部３３Ａ，３４Ｂの重ね合わせがなされながら行われ、座板３６〜３８が図１で示す建物の床面４３に達するまで耐火性シート３２〜３４が繰り出しされたとき、耐火性シート３２と３３、３３と３４は密に重なった状態となっており、これにより炎や煙を遮断する。
【００３４】
また、前述のように同時に同速回転する巻取部４〜６における耐火性シート３２〜３４の巻き径が常に同じになるようにその巻き量及びシート厚さを設定しておくことにより、それぞれの巻取部４〜６からの耐火性シート３２〜３４の繰り出し速度、巻き取り速度は同じになり、これにより、耐火性シート３２〜３４は、それぞれの重ね合わせられた部分でシート同士が擦れることなく、繰り出し、巻き取りが行われる。
【００３５】
以上説明したように、本実施形態では、耐火性シート３２〜３４の対向端部３２Ａと３３Ｂ、対向端部３３Ａと３４Ｂを重ね合わせることは、互いに隣接する巻取部４と５，５と６を上下方向に位置ずれ配置することによりなされており、互いに隣接する２個の巻取部を水平方向に位置ずれさせて、これらの巻取部の間にそれぞれの巻取部から繰り出される耐火性シートを下向きに案内する２個のガイドローラを設ける構造になっていないため、本実施形態によると、２個のガイドローラを省略でき、それだけ使用する部品点数の削減、構造の簡単化を達成でき、また、天井裏空間３に必要部品を運び込んで行う防災用シャッター１の組み立て作業を簡単化できる。
【００３６】
また、図２でブラケット７と８について示すとおり、互いに隣接する巻取部４と５の重ね部分４１側のそれぞれの端部を支持するブラケット７と８、及び巻取部５と６の重ね部分４２側のそれぞれの端部を支持するブラケット９と１０は、これらの巻取部４〜６における耐火性シート３２〜３４を繰り出す側Ａとは反対側Ｂに存在する建物躯体の下がり壁１３に取り付けられている（図１で示すブラケット１１と１２も同じ）ため、下側の巻取部５の両端部を支持するブラケット８，９は、上側の巻取部４，６から繰り出される耐火性シート３２，３４の邪魔にならず、これらの耐火性シート３２，３４の繰り出し、巻き取りを所定どおり行える。
【００３７】
また、３個の巻取部４〜６を回転させるための開閉機１４は１個であるため、使用する駆動源を最小限に抑えることができ、それだけ構造の簡単化を図ることができる。
【００３８】
特に、開閉機１４によって直接駆動される巻取部は、軸方向に並設された３個の巻取部４〜６のうちの中央の巻取部５であるため、軸方向の一方の端部側の巻取部を開閉機１４で直接駆動し、他方の端部側の巻取部を中央の巻取部を介して回転させるようにした場合と比べ、巻取部及び巻取部間に配置される伝動軸のねじれ及びチェーンとスプロケットの遊びによるバックラッシュ等による影響を少なくしながら３個の巻取部４〜６を回転させることができる。
【００３９】
図５と図６は、巻取部を支持するブラケットの建物躯体への取り付け方についての別実施形態を示す。以下の説明では、前記実施形態と同じ又は対応する部材には同じ符号を付する。
【００４０】
図５の実施形態は、建物躯体である下がり壁５３が巻取部４〜６における耐火性シート３２〜３４の繰り出し側Ａと同じ側に存在する場合である。上側の巻取部である軸方向両側の巻取部４と６を支持するブラケットは、巻取部５との重ね部分側の巻取部４の端部を支持するブラケット４７と同じく、この下がり壁５３に取り付けられている。また、下側の巻取部である軸方向中央の巻取部５を支持するブラケットは、巻取部４との重ね部分側の巻取部５の端部を支持するブラケット４８と同じく、巻取部４，６の巻取部５側の端部を支持するブラケットに、巻取部４〜６における耐火性シート３２〜３４の繰り出し側Ａとは反対側Ｂにおいて結合されている。
【００４１】
これを図５で示されたブラケット４７と４８について説明すると、ブラケット４８における繰り出し側Ａとは反対側Ｂには垂直上方へ立ち上がった立上部４８Ａが形成されており、この立上部４８Ａと、ブラケット４７における繰り出し側Ａとは反対側Ｂの端部とのいずれか一方又は両方には、前記重ね部分４１の長さ分だけ相手側に延びる延出部が形成されており、この延出部により、ブラケット４８はブラケット４７に上記反対側Ｂにおいて結合されている。
【００４２】
このため、上側の巻取部４，６から繰り出しされる耐火性シート３２，３４は、下側の巻取部５を支持するブラケットで邪魔されることはない。
【００４３】
図６の実施形態は、建物躯体である下がり壁７３が巻取部４〜６における耐火性シート３２〜３４の繰り出し側Ａと同じ側に存在し、かつ建物躯体である上階の床スラブ７４が上側の巻取部４，６の上方に存在する場合である。これらの巻取部４と６を支持するブラケットは、巻取部５との重ね部分側の巻取部４の端部を支持するブラケット６７と同じく、下がり壁７３に取り付けられ、また、下側の巻取部である軸方向中央の巻取部５を支持するブラケットは、巻取部４との重ね部分側の巻取部５の端部を支持するブラケット６８と同じく、巻取部４〜６における耐火性シート３２〜３４の繰り出し側Ａとは反対側Ｂにおいて、床スラブ７４に結合されている。
【００４４】
これを図６のブラケット６７と６８について説明すると、ブラケット６８における繰り出し側Ａとは反対側Ｂには垂直上方へ立ち上がった立上部６８Ａが形成され、この立上部６８Ａは、控え部材７５で支持されて床スラブ７４から垂下固定された垂下部材７６に取り付けられている。このため、ブラケット６８は上記反対側Ｂにおいて床スラブ７４に垂下部材７６を介して結合されている。
【００４５】
この実施形態でも、上側の巻取部４，６から繰り出しされる耐火性シート３２，３４は、下側の巻取部５を支持するブラケットで邪魔されることはない。
【００４６】
また、図６の実施形態によると、先ずブラケット６７を下がり壁７３に取り付け、次いでブラケット６８を垂下部材７６と控え部材７５で床スラブ７４に結合する作業を行うことにより、耐火性シート３２，３４と３３とを所定の位置関係としながら、それぞれのブラケットによってそれぞれの巻取部を簡単かつ有効に取り付けることができ、天井裏空間３に防災用シャッター１を組付配置する作業を合理的に行える。
【００４７】
図７は、３個の巻取部４〜６の駆動手段についての別実施形態を示す。この実施形態では、巻取部４と５をそれぞれ個別に設けた開閉機１４で駆動させるようしている。残りの巻取部６はこれらの開閉機１４と個別に設けた開閉機で駆動させるようにしてもよく、あるいは巻取部６を、図４と同じく巻取部５の回転をスプロケット、チェーン等による伝動機構で伝達することにより、回転させるようにしてよい。
【００４８】
全部の巻取部４〜６をそれぞれ個別の開閉機で駆動させるようにすると、伝動機構を形成するために使用する伝動軸のねじれの影響を全く受けずに巻取部４〜６を駆動させることができるようになる。
【００４９】
図８、図９は、巻取部５を耐火性シート３３の厚さ方向に位置調整自在とした実施形態を示す。
【００５０】
この実施形態では、図８に示すとおり、巻取部５の両端を支持するブラケット（図１の実施形態と同じ場合には、ブラケット８と９）には耐火性シート３３の厚さ方向に長い長孔８０が形成され、巻取部５の回転中心軸５Ａはこの中心軸５Ａを回転自在に保持する軸受け部材８１に挿入されており、軸受け部材８１の上下部には長孔８０の上下辺がスライド自在に嵌入された溝８１Ａ，８１Ｂが形成されている。また、巻取部５を支持する上記ブラケットには、長孔８０の前後において雌ねじ部材８２，８３が固設され、これらの雌ねじ部材８２，８３に、ロックナット８４，８５が螺合されたボルト８６，８７が軸受け部材８１に向けて螺入されている。
【００５１】
ボルト８６，８７の先端が軸受け部材８１に当接し、ロックナット８４，８５でボルト８６，８７がその位置にロックされることにより、巻取部５は耐火性シート３３の厚さ方向に不動状態となる。
【００５２】
また、ロックナット８４，８５を緩めた後、ボルト８６，８７のうちの一方を回転後退させて他方を回転前進させることにより、巻取部５及び軸受け部材８１を長孔８１に沿って移動させることができ、この移動後、ボルト８６，８７の先端を軸受け部材８１に当接させ、ロックナット８４，８５でボルト８６，８７をロックすることにより、巻取部５及び軸受け部材８１を耐火性シート３３の厚さ方向に移動調整した位置で不動状態にすることができる。
【００５３】
この実施形態によると、巻取部５の両端に設けた以上の機構により、巻取部５を耐火性シート３３の厚さ方向に位置調整できるため、この位置調整を行うことにより、巻取部５の耐火性シート３３の両端部を巻取部４，６の耐火性シート３２，３４の端部に確実に接触させることができる。これにより、耐火性シート３２〜３４の対向端部同士を重ね合わせた部分を必ず形成できることになる。
【００５４】
なお、以上のような機構により巻取部５を耐火性シート３３の厚さ方向に位置調整自在とし、この調整可能距離が長い場合には、巻取部５を回転させるためのチェーン（図９で示すように、巻取部５を回転させるために図２と同じ駆動機構が採用されている場合には、チェーン１８）に噛合させるテンションスプロケット８８と、このテンションスプロケット８８にチェーンを常時緊張させる方向へ移動させようとするばね等による弾性部材８９とで構成されたチェーンテンション機構を設ければよい。
【００５５】
【発明の効果】
本発明によると、互いに隣接する巻取部の位置ずれ方向を上下方向としたため、これらの巻取部から繰り出されるシャッターカーテンの対向端部同士を繰り出しがなされるとそのまま重ね合わせることができ、このため、連装式建物用シャッターの構造の簡単化を図ることができる。
【図面の簡単な説明】
【図１】本発明が防災用シャッターに適用された場合の実施形態を示す建物の縦断面図である。
【図２】図１のII−II線断面図である。
【図３】図１で示されている左側の巻取部と中央の巻取部との重ね部分を背後から示した斜視図である。
【図４】図１で示されている中央の巻取部と右側の巻取部との重ね部分を背後から示した斜視図である。
【図５】巻取部を支持する支持部材であるブラケットの建物躯体への取り付け方に関する別実施形態を示す図２と同様の図である。
【図６】同ブラケットの建物躯体への取り付け方に関するさらなる別実施形態を示す図２と同様の図である。
【図７】複数の巻取部を個別の駆動手段で駆動させる実施形態を示す図３と同様の図である。
【図８】巻取部をシャッターカーテンの厚さ方向に位置調整自在とする実施形態におけるその位置調整機構を示す図である。
【図９】図８の位置調整機構が設けられた場合に、巻取部を回転させるチェーンにテンション機構を設けることを示す図２と同様の図である。
【符号の説明】
１  建物用シャッターである防災用シャッター
４〜６  巻取部
５Ａ  巻取部の回転中心軸
７〜１２，４７，４８，６７，６８  支持部材であるブラケット
１３，５３，７３  建物躯体である下がり壁
３２〜３４  シャッターカーテンを形成する耐火性シート
７４  建物躯体である上階の床スラブ
８０  長孔
８１  軸受け部材
８４，８５  位置調整機構を構成するロックナット
８６，８７  位置調整機構を構成するボルト
【図１】
0004027533.tif 000002
【図２】
0004027533.tif 000003
【図３】
0004027533.tif 000004
【図４】
0004027533.tif 000005
【図５】
0004027533.tif 000006
【図６】
0004027533.tif 000007
【図７】
0004027533.tif 000008
【図８】
0004027533.tif 000009
【図９】
0004027533.tif 000010